(57)【要約】【課題】ダイヤフラム部材が破損しても膨張媒体が温度制御機素から漏出することのない熱応動式スチームトラップを提供する。【解決手段】入口２と出口３を形成した本体１に蓋部材５を取付けて内部に入口２と出口３が開口する弁室４を形成する。出口３の弁室４側開口端に、弁室４と出口３とを連通する導出路６を形成した弁座部材７をねじ結合する。上壁部材１０と、上壁部材１０との間に膨脹媒体１４を密封するダイヤフラム部材１３と、ダイヤフラム部材１３に固着され弁座部材７に離着座して弁孔６を開閉する弁部材１５と、ダイヤフラム部材１３の外周縁を上壁部材１０との間に挟んで固着する下壁部材１６と、外周壁が下壁部材１６の内周壁を内壁壁が弁部材１５の外周壁を気密的に摺動するピストン部材１７と、ダイヤフラム部材１３とピストン部材１７との間の密閉空間１２から温度制御機素８を形成する。【選択図】図１
2004190823.tif 000002
【特許請求の範囲】
【請求項１】
弁ケーシングで入口と弁室と出口を形成し、導出路を有する弁座部材を弁室と出口との間に配置し、上下二つの壁部材と、両壁部材の間に外周縁を固着したダイヤフラム部材と、上壁部材とダイヤフラム部材との間に密封した膨脹媒体と、ダイヤフラム部材に連結した弁部材とから成る温度制御機素を弁室内に配置し、膨脹媒体の膨張収縮によるダイヤフラム部材の変位によって弁部材を駆動して導出路を開閉するものにおいて、外周壁が下壁部材の内周壁を内壁壁が弁部材の外周壁を気密的に摺動するピストン部材を設けてダイヤフラム部材とピストン部材との間に密閉空間を形成したことを特徴とする熱応動式スチームトラップ。
【発明の詳細な説明】
【０００１】
【発明の属する技術分野】
本発明は、各種蒸気使用機器や蒸気配管で発生する復水を自動的に排出するスチームトラップに関し、特に、加熱されて膨脹し冷却されて収縮する媒体を含む温度制御機素を用いて、所望温度以下の流体を系外へ排出する熱応動式スチームトラップに関するものである。
【０００２】
【従来の技術】
【特許文献１】
特許第３３５５３８８号
温度制御機素を用いた熱応動式スチームトラップは、例えば特許第３３５５３８８号に示されている。当該公報から理解されるように、弁ケーシングで入口と弁室と出口を形成し、導出路を有する弁座部材を弁室と出口との間に配置し、上下二つの壁部材と、両壁部材の間に外周縁を固着したダイヤフラム部材と、上壁部材とダイヤフラム部材との間に密封した膨脹媒体と、ダイヤフラム部材に連結した弁部材とから成る温度制御機素を弁室内に配置し、膨脹媒体の膨張収縮によるダイヤフラム部材の変位によって弁部材を駆動して導出路を開閉するものである。膨脹媒体は、水よりも沸点の低いプロパノール等のアルコールと水との混合物で形成される。
【０００３】
弁室内に所定温度以上の高温流体が流入してくると、膨脹媒体が膨脹してダイヤフラム部材を入口側の流体圧力に抗して弁座部材方向に変位させる。これによって、弁部材が導出路を閉止して蒸気の排出を防止する。所定温度以下の低温流体が流入してくると、膨脹媒体が収縮してダイヤフラム部材を入口側の流体圧力によって開弁方向に変位させる。これによって、弁部材が導出路を開口して復水や空気を系外へ排出する。
【０００４】
【発明が解決しようとする課題】
上記従来技術のものでは、ダイヤフラム部材が破損すると膨張媒体が温度制御機素から漏出してしまう。そのため、食品や医療等の分野で用いられる場合には重大な事故に繋がる問題点があった。従って、本発明の技術的課題は、ダイヤフラム部材が破損しても膨張媒体が温度制御機素から漏出することのない熱応動式スチームトラップを提供することである。
【０００５】
【課題を解決するための手段】
上記の技術的課題を解決するために講じた本発明の技術的手段は、弁ケーシングで入口と弁室と出口を形成し、導出路を有する弁座部材を弁室と出口との間に配置し、上下二つの壁部材と、両壁部材の間に外周縁を固着したダイヤフラム部材と、上壁部材とダイヤフラム部材との間に密封した膨脹媒体と、ダイヤフラム部材に連結した弁部材とから成る温度制御機素を弁室内に配置し、膨脹媒体の膨張収縮によるダイヤフラム部材の変位によって弁部材を駆動して導出路を開閉するものにおいて、外周壁が下壁部材の内周壁を内壁壁が弁部材の外周壁を気密的に摺動するピストン部材を設けてダイヤフラム部材とピストン部材との間に密閉空間を形成したことを特徴とする熱応動式スチームトラップにある。
【０００６】
【発明の実施の形態】
本発明の熱応動式スチームトラップは、外周壁が下壁部材の内周壁を内壁壁が弁部材の外周壁を気密的に摺動するピストン部材を設けてダイヤフラム部材とピストン部材との間に密閉空間を形成したものである。そのため、ダイヤフラム部材が破損すると膨張媒体が密閉空間に流入し温度制御機素から漏出することがない。
【０００７】
【実施例】
上記の技術的手段の具体例を示す実施例を説明する（図１参照）。本体１には同一軸上に入口２と出口３が形成され、この入口２及び出口３と連通する弁室４が本体１にねじ結合された蓋部材５によって形成される。出口３の弁室４側開口端に、弁室４と出口３とを連通する導出路６が形成された弁座部材７がねじ結合されている。
【０００８】
弁座部材７の上方に、温度制御機素８が配置される。温度制御機素８は、注入口９を有する上壁部材１０と、注入口９を密封する栓部材１１と、上壁部材１０との間に膨脹媒体１４を密封するダイヤフラム部材１３と、ダイヤフラム部材１３に固着され弁座部材７に離着座して導出路６を開閉する弁部材１５と、ダイヤフラム部材１３の外周縁を上壁部材１０との間に挟んで固着する下壁部材１６と、外周壁が下壁部材１６の内周壁を内壁壁が弁部材１５の外周壁を気密的に摺動するピストン部材１７と、ダイヤフラム部材１３とピストン部材１７との間の密閉空間１２から形成される。膨脹媒体１４は、水よりも沸点の低いプロパノール等のアルコールと水との混合物で形成される。
【０００９】
温度制御機素８は、本体１と弁座部材７との間に挟んで固定された有底円筒形状の取付部材１８内に収容され、一端を蓋部材５に固定し他端を温度制御機素８に固定したコイルスプリング１９の付勢力によって取付部材１８の段部２０に下壁部材１６の下面が当接保持される。コイルスプリング１８は一端のコイル径が蓋部材５の内径よりも大きく形成され、一端を蓋部材５の内壁に嵌め込むことにより固定され、他端のコイル径が栓部材１１の直径よりも小さく形成され、他端を栓部材１１に嵌め込むことにより固定される。取付部材１８には、底壁に流体通過孔２１と周壁に３つの流体通過窓２２が開けられている。
【００１０】
本実施例での作動は下記の通りである。
始動時、弁室４内は低温であり、膨脹媒体１４は収縮し、入口側の流体圧力によってピストン部材１７とダイヤフラム部材１３が上方に変位し、弁部材１５が弁座部材７から離座して導出路６を開口している。これによって入口２から流入する低温の復水や空気を導出路６から出口３へ排出する。低温流体の排出によって入口２から流入する流体温度が上昇し、弁室４内が所定温度以上になると、膨脹媒体１４は膨脹し、入口側の流体圧力に抗してピストン部材１７とダイヤフラム部材１３が下方に変位し、弁部材１５が弁座部材７に着座して導出路６を閉止する。これによって蒸気の漏出を防止する。放熱によって弁室４内が所定温度以下になると、膨脹媒体１４は収縮し、入口側の流体圧力によってピストン部材１７とダイヤフラム部材１３が上方に変位し、弁部材１５が弁座部材７から離座して導出路６を開口する。
【００１１】
ダイヤフラム部材１３が破損すると膨張媒体１４が密閉空間１２に流入し温度制御機素８から漏出することがない。
【００１２】
【発明の効果】
上記のように本発明は、外周壁が下壁部材の内周壁を内壁壁が弁部材の外周壁を気密的に摺動するピストン部材を設けてダイヤフラム部材とピストン部材との間に密閉空間を形成することにより、ダイヤフラム部材が破損しても膨張媒体が温度制御機素から漏出することがないという優れた効果を生じる。
【図面の簡単な説明】
【図１】本発明の実施例の熱応動式スチームトラップの断面図。
【符号の説明】
１  本体
２  入口
３  出口
４  弁室
５  蓋部材
６  導出路
７  弁座部材
８  温度制御機素
１０  上壁部材
１３  ダイヤフラム部材
１４  膨張媒体
１５  弁部材
１６  下壁部材
１７  ピストン部材
１８  取付部材
【図１】
2004190823.tif 000003